(57)【要約】【課題】施工現場での作業性が良く、且つ壁パネルの損傷確率を軽減可能な壁パネルと天井パネルの連結構造を提供することである。【解決手段】壁パネル３０の上端部３１と天井パネル２０の水平端部２１とを連結部材１で連結し、連結部材１と天井パネル２０との連結箇所６０を廻し縁４０で覆ってなる壁パネルと天井パネルの連結構造において、連結部材１と天井パネル２０とはネジ５１で固定されており、連結部材１は固定面１０を有しており、固定面１０は天井パネル２０に対して傾斜しており、ネジ５１は固定面１０に固定されている。【選択図】図２
2012031685.tif 000002
【特許請求の範囲】
【請求項１】
壁パネルの上端部と天井パネルの水平端部とを連結部材で連結し、連結部材と天井パネルとの連結箇所を廻し縁で覆ってなる壁パネルと天井パネルの連結構造において、連結部材と天井パネルとはネジ等の固定具で固定されており、連結部材は固定面を有しており、当該固定面は天井パネルに対して傾斜しており、固定具は固定面に固定されていることを特徴とする壁パネルと天井パネルの連結構造。
【発明の詳細な説明】
【技術分野】
【０００１】
本発明は、壁パネルと天井パネルの連結構造に関し、さらに詳細には、施工現場での作業性が良く、且つ固定作業にともなう壁パネルの損傷を少なくできる壁パネルと天井パネルの連結構造に関する。
【背景技術】
【０００２】
システムバスルームと呼ばれるユニットバスでは、樹脂製及び金属製の天井パネルや壁パネルが用いられている。図３に示すように、天井パネル９１と壁パネル９２は、ネジ９３で連結されている。さらに、天井パネル９１と壁パネル９２との連結箇所９５には、廻し縁９４が取り付けられている。廻し縁９４はネジ９３を隠す目的のほかに、壁パネル９２を美しく仕上げる効果を有している。特許文献１にも、壁パネルと天井パネルの連結箇所を化粧カバーで覆う構成が開示されている。特許文献１では、天井パネルの水平端部が化粧カバーで覆われている。化粧カバーは、前述の廻し縁と同様に、ネジを隠すと共に、天井パネルを美しく仕上げている。
【先行技術文献】
【特許文献】
【０００３】
【特許文献１】特開平１１−３１０９８７号公報
【発明の概要】
【発明が解決しようとする課題】
【０００４】
ところが、特許文献１においては、壁パネルと天井パネルの連結箇所が天井パネルの水平端部にあり、且つ壁パネルの近傍であるため、ネジを締める際に、電動ドライバ等の工具が壁パネルに当たり、壁パネルに傷が付くことが懸念される。さらに、天井パネルに対してネジが垂直に固定されているため、施工現場でネジを締める際には、作業者が真上を向いて作業を行う必要があり、作業性が悪い。
【０００５】
そこで、本発明は、施工現場での作業性が良く、且つ壁パネルの損傷確率を軽減可能な壁パネルと天井パネルの連結構造の提供を目的とする。
【課題を解決するための手段】
【０００６】
上記課題を解決するための請求項１に記載の発明は、壁パネルの上端部と天井パネルの水平端部とを連結部材で連結し、連結部材と天井パネルとの連結箇所を廻し縁で覆ってなる壁パネルと天井パネルの連結構造において、連結部材と天井パネルとはネジ等の固定具で固定されており、連結部材は固定面を有しており、当該固定面は天井パネルに対して傾斜しており、固定具は固定面に固定されていることを特徴とする壁パネルと天井パネルの連結構造である。
【０００７】
連結部材が有する固定面は、天井パネルに対して傾斜している。換言すれば、水平な天井パネルに対して、固定面は所定の角度だけ傾いている。すなわち、ネジ等の固定具は、天井パネルに対して所定の角度だけ傾いて固定される。その結果、施工現場において、作業者が真上を向く必要がなく、楽な姿勢で作業を行うことができる。
【０００８】
また、固定面は、垂直な壁パネルに対しても、所定の角度だけ傾いている。すなわち、固定具は、壁パネルに対して所定の角度だけ傾いた姿勢で固定される。その結果、施工現場において、電動ドライバ等の工具でネジ締めを行う際に、電動ドライバの本体部分を壁パネルから十分離すことが可能となる。
【発明の効果】
【０００９】
本発明の壁パネルと天井パネルの連結構造によれば、施工現場での作業性が良く、且つ固定作業にともなう壁パネルの損傷を少なくできる。
【図面の簡単な説明】
【００１０】
【図１】本発明の実施形態に係る壁パネルと天井パネルの連結構造で用いる連結部材を示す説明図である。
【図２】本発明の実施形態に係る壁パネルと天井パネルの連結構造を示す説明図である。
【図３】従来のユニットバスにおける壁パネルと天井パネルの連結状態を示す斜視図である。
【発明を実施するための形態】
【００１１】
以下では、本発明の壁パネルと天井パネルの連結構造の実施形態について、図面を参照しながら詳細に説明する。なお、以下の説明は、実施形態の理解を容易にするためのものであり、これによって、本発明が制限して理解されるべきではない。
【００１２】
図１に示す連結部材１は、本発明の実施形態に係る壁パネルと天井パネルの連結構造で用いられる。図１は、連結部材１を短手方向から見た図である。連結部材１は、長尺状の樹脂製部材であり、正面視で略Ｅ字状を成している。連結部材１は、壁係合部２と天井係合部３とを有している。
【００１３】
壁係合部２は、壁パネルに係合して、壁パネルを保持するための部位である。壁係合部２は、当止部４と、挟持部６，７とを有している。
【００１４】
当止部４は、壁パネルの上端部を当止するための部位である。当止部４には、貫通孔５が設けられている。
【００１５】
挟持部６，７は、壁パネルを両側から挟持するための部位である。
【００１６】
天井係合部３は、天井パネルに係合して、天井パネルを支持するための部位である。天井係合部３は、支持部８と、係止片１２，１３とを有している。
【００１７】
支持部８は、天面側に支持面９を有し、底面側に固定面１０を有している。支持面９は、天井パネルに対して略平行である。固定面１０は、天井パネルに対して傾斜している。固定面１０の傾斜角度は、天井パネルに対して略３０度である。換言すれば、固定面１０の傾斜角度は、壁パネルに対して略６０度である。
【００１８】
また、支持部８は、貫通孔１１を有している。貫通孔１１は、固定面１０に対して垂直となるように設けられている。すなわち、貫通孔１１も固定面１０と同様に、天井パネルに対して傾斜している。
【００１９】
係止片１２，１３は、後述する廻し縁を係止するための爪状の部位である。
【００２０】
図２は、本発明の実施形態に係る壁パネルと天井パネルの連結構造を示す説明図である。図２に示すように、天井パネル２０と壁パネル３０は、連結部材１で連結されている。
【００２１】
壁パネル３０の上端部３１は、連結部材１の当止部４に当止している。貫通孔５には、ネジ５０が挿通されており、壁パネル３０に固定されている。壁パネル３０は、挟持部６，７で両側から挟持されている。
【００２２】
一方、天井パネル２０の水平端部２１は、連結部材１の支持面９に当接している。換言すれば、支持面９は水平端部２１を支持している。連結部材１の貫通孔１１には、ネジ５１（固定具）が挿通されており、水平端部２１に固定されている。ネジ５１は、固定面１０に対して垂直となるように固定されている。すなわち、ネジ５１は、水平端部２１に対して傾斜している。
【００２３】
連結部材１と天井パネル２０との連結箇所６０は、廻し縁４０で覆われている。換言すれば、廻し縁４０は、ネジ５１を覆っている。廻し縁４０は、天井パネル２０の化粧面２２に対して面一となるように、連結部材１に固定されている。廻し縁４０の係止片４１，４２は、連結部材１の係止片１２，１３に各々係止している。
【００２４】
上記のように、連結部材１が有する固定面１０は、天井パネル２０に対して傾斜している。換言すれば、水平な天井パネル２０に対して、固定面１０は略３０度だけ傾いている。すなわち、ネジ５１（固定具）は、天井パネル２０に対して略３０度だけ傾いて固定されている。その結果、施工現場において、作業者が真上を向く必要がなく、楽な姿勢で作業を行うことができる。
【００２５】
また、固定面１０は、垂直な壁パネル３０に対して、略６０度だけ傾いている。すなわち、ネジ５１（固定具）は、壁パネル３０に対して略６０度だけ傾いた姿勢で固定されている。その結果、施工現場において、電動ドライバでネジ締めを行う際に、電動ドライバの本体部分を壁パネル３０から十分離すことが可能となる。
【００２６】
前述のように、本発明の壁パネルと天井パネルの連結構造によれば、施工現場での作業性が良く、且つ固定作業にともなう壁パネルの損傷を少なくできる。
【符号の説明】
【００２７】
１    連結部材
１０    固定面
２０    天井パネル
２１    水平端部
３０    壁パネル
３１    上端部
４０    廻し縁
５１    ネジ（固定具）
６０    連結箇所
【図１】
2012031685.tif 000003
【図２】
2012031685.tif 000004
【図３】
2012031685.tif 000005